(57)【特許請求の範囲】
【請求項１】
彫刻刀を出し入れ可能に収納できる彫刻刀ケースにおいて、ケース本体、スライド部、可動部を有し、スライド部はケース本体にスライド可能に保持され、可動部には彫刻刀を固定できる彫刻刀固定部が設けられ、スライド部をスライドさせると可動部が移動して彫刻刀との固定が解除されることを特徴とする彫刻刀ケース。
【請求項２】
彫刻刀を出し入れ可能に収納できる彫刻刀ケースにおいて、ケース本体、スライド部、可動部を有し、スライド部は彫刻刀ケースの蓋又はその一部を構成してケース本体にスライド可能に保持され、可動部は彫刻刀ケースの底部の一部を構成すると共に彫刻刀を固定できる彫刻刀固定部が設けられ、さらに可動部はケース本体に対して揺動可能に取り付けられ、スライド部と可動部の間に係合手段が設けられ、蓋をあけるべくスライド部を移動させると、係合手段によって可動部がケース本体から離れる方向に移動し、可動部が移動して彫刻刀との固定が解除されることを特徴とする彫刻刀ケース。
【請求項３】
スライド部をスライドさせると、可動部がケース本体から離れる方向に移動して可動部の彫刻刀固定部と彫刻刀との固定が解除することを特徴とする請求項１又は２に記載の彫刻刀ケース。
【請求項４】
彫刻刀ケースは凹部が設けられた彫刻刀を収納することができるものであり、前記彫刻刀固定部は、彫刻刀の凹部に対応する突起であることを特徴とする請求項１〜３のいずれかに記載の彫刻刀ケース。
【請求項５】
彫刻刀ケースはプレート状のケースであり、前記可動部はプレート面に位置していることを特徴とする請求項１〜４のいずれかに記載の彫刻刀ケース。
【請求項６】
彫刻刀を出し入れ可能に収納できるプレート面と側面を有するプレート状の彫刻刀ケースにおいて、ケース本体、スライド部、可動部を有し、スライド部はケース本体にスライド可能に保持され、スライド部をスライドさせると可動部がケース本体から離れる方向に移動するものであり、さらに、可動部はプレート面に位置していることを特徴とする彫刻刀ケース。
【請求項７】
彫刻刀を出し入れ可能に収納できる彫刻刀ケースにおいて、ケース本体、スライド部、可動部を有し、スライド部は彫刻刀ケースの蓋又はその一部を構成してケース本体にスライド可能に保持され、可動部は彫刻刀ケースの底部の一部を構成し、さらに可動部はケース本体に対して揺動可能に取り付けられ、スライド部と可動部の間に係合手段が設けられ、蓋をあけるべくスライド部を移動させると、係合手段によって可動部がケース本体から離れる方向に移動することを特徴とする彫刻刀ケース。
【請求項８】
彫刻刀ケースはプレート面と側面を有するプレート状であり、ケース本体の側面には溝又は突起であるガイド部が設けられ、スライド部はガイド部に係合可能な突起又は溝である係合部が設けられ、ガイド部及び係合部の、一方又は双方の形状がプレート面に略平行な筋状であり、スライド部の側面と可動部の側面には係合手段が設けられ、前記係合手段は、誘導突起と誘導突起に係合可能な誘導溝からなり、誘導溝にはプレート面に対して角度を有する傾斜部が設けられるものであり、ケース本体と可動部は、側面に有する可動部軸によって回転可能に保持されることを特徴とする請求項１〜７のいずれかに記載の彫刻刀ケース。
【請求項９】
スライド部のスライドによって移動する可動部の移動方向は、略平行移動であることを特徴とする請求項１〜８のいずれかに記載の彫刻刀ケース。
【発明の詳細な説明】
【０００１】
【発明の属する技術分野】
本発明は、彫刻刀のケースに関するものである。
【０００２】
【従来の技術】
従来より、彫刻刀は、刃先の形状の異なる複数の種類の彫刻刀をセットとして販売され、使用されている。そして、その彫刻刀のケースは、彫刻刀を並列状態にして収納されるものである。
【０００３】
また、彫刻刀は先端に刃を有するので、出し入れし難いと、彫刻刀の刃が手などに触れおそれがあるため危ないので、特開２０００−９３２２１に記載された彫刻刀ケースのように彫刻刀の出し入れしやすいものなどが提案されている。
【０００４】
【発明が解決しようとする課題】
しかしながら、彫刻刀は小学生などの子供も使用するので、さらに操作が容易で安全性の高い彫刻刀ケースが求められてきている。また、彫刻刀ケースの製造上からは、できるだけ組み立てやすい構造が望ましい。
【０００５】
また、彫刻刀を持ち運ぶ際に、彫刻刀と彫刻刀ケースの音が問題となっていた。すなわち、彫刻刀を収納した際に、彫刻刀ケースとのガタによって音が発生していた。また、彫刻刀と彫刻刀ケースの隙間をつめてガタを少なくすると音の発生が小さくなるが、彫刻刀の出し入れし難くなる。
【０００６】
そこで、彫刻刀の出し入れの操作が容易であり、特に、彫刻刀を持ち運ぶ際の音が発生しにくい彫刻刀ケースを提供することを課題とする。
【０００７】
【課題を解決するための手段】
そして上記した目的を達成するための請求項１に記載の発明は、彫刻刀を出し入れ可能に収納できる彫刻刀ケースにおいて、ケース本体、スライド部、可動部を有し、スライド部はケース本体にスライド可能に保持され、可動部には彫刻刀を固定できる彫刻刀固定部が設けられ、スライド部をスライドさせると可動部が移動して彫刻刀との固定が解除されることを特徴とする彫刻刀ケースである。
彫刻刀固定部は、彫刻刀と彫刻刀固定部が一時的に保持されるものであればどのような構造でも良い。例えば、彫刻刀に凸部や凹部を有する場合には、対応する凹部や凸部の形状であり、彫刻刀を挟む構造等である。
【０００８】
請求項１に記載の発明によれば、ケース本体、スライド部、可動部を有し、スライド部はケース本体にスライド可能に保持され、可動部には彫刻刀を固定できる彫刻刀固定部が設けられ、スライド部をスライドさせると可動部が移動して彫刻刀との固定が解除されるので、彫刻刀のガタが小さいため、持ち運びの際の音が少なく、彫刻刀の出し入れが容易である。
すなわち、スライドする前は、彫刻刀は彫刻刀固定部により固定されているので、彫刻刀のガタが小さい。また、彫刻刀を出し入れするときには、スライド部をスライドさせることで、可動部が移動し彫刻刀との固定が解除されるため、容易に出し入れが可能となる。
【０００９】
請求項２に記載の発明は、彫刻刀を出し入れ可能に収納できる彫刻刀ケースにおいて、ケース本体、スライド部、可動部を有し、スライド部は彫刻刀ケースの蓋又はその一部を構成してケース本体にスライド可能に保持され、可動部は彫刻刀ケースの底部の一部を構成すると共に彫刻刀を固定できる彫刻刀固定部が設けられ、さらに可動部はケース本体に対して揺動可能に取り付けられ、スライド部と可動部の間に係合手段が設けられ、蓋をあけるべくスライド部を移動させると、係合手段によって可動部がケース本体から離れる方向に移動し、可動部が移動して彫刻刀との固定が解除されることを特徴とする彫刻刀ケースである。
【００１０】
請求項２に記載の発明によれば、スライド部は彫刻刀ケースの蓋又はその一部を構成してケース本体にスライド可能となっており、スライド部をスライドさせることにより、蓋を開けながら可動部を移動させることができ、さらに可動部が移動して彫刻刀との固定が解除されるので、容易に彫刻刀の取り出しができる。
【００１１】
請求項３に記載の発明は、スライド部をスライドさせると、可動部がケース本体から離れる方向に移動して可動部の彫刻刀固定部と彫刻刀との固定が解除することを特徴とする請求項１又は２に記載の彫刻刀ケースである。
【００１２】
請求項３に記載の発明によれば、スライド部をスライドさせると、可動部がケース本体から離れる方向に移動して可動部の彫刻刀固定部と彫刻刀との固定が解除するので、容易に彫刻刀との固定を解除することができる。
【００１３】
請求項４に記載の発明は、彫刻刀ケースは凹部が設けられた彫刻刀を収納することができるものであり、前記彫刻刀固定部は、彫刻刀の凹部に対応する突起であることを特徴とする請求項１〜３のいずれかに記載の彫刻刀ケースである。
【００１４】
請求項４に記載の発明によれば、彫刻刀ケースは凹部が設けられた彫刻刀を収納することができるものであり、前記彫刻刀固定部は、彫刻刀の凹部に対応する突起であるので、彫刻刀の凹部を彫刻刀固定部である突起に挿入することにより、彫刻刀の固定が可能となり、容易に固定できる。また、彫刻刀と彫刻刀ケースとガタを小さくすることが容易である。
また、前記スライド部が彫刻刀ケースの蓋又はその一部を構成している場合には、さらに安全性が高い彫刻刀ケースとすることができる。すなわち、彫刻刀固定部は突起であり、彫刻刀の凹部を前記突起に対応する位置に彫刻刀を収納しなければ、前記突起が彫刻刀の凹部でない位置に接触する。そして、前記可動部の移動が妨げられるので、前記スライド部の移動も妨げられる。したがって、彫刻刀の凹部を前記突起に対応する位置に彫刻刀を収納しなければ、彫刻刀ケースの蓋を閉じることできず、彫刻刀固定部により固定された状態でのみ彫刻刀ケースの蓋を閉じることができ安全である。
【００１５】
請求項５に記載の発明は、彫刻刀ケースはプレート状のケースであり、前記可動部はプレート面に位置していることを特徴とする請求項１〜４のいずれかに記載の彫刻刀ケースである。
【００１６】
請求項５に記載の発明によれば、可動部がプレート面に位置しているので、彫刻刀の固定を容易に行うことができる。すなわち、彫刻刀固定部は、可動部に設けられており、また、プレート面は彫刻刀との接触部分が大きい部位である。したがって、彫刻刀固定部の形状や大きさを自由に変更でき、また、複数の彫刻刀を並列に並べて収納する場合には、すべての彫刻刀に対し容易に固定することができる。
【００１７】
請求項６に記載の発明は、彫刻刀を出し入れ可能に収納できるプレート面と側面を有するプレート状の彫刻刀ケースにおいて、ケース本体、スライド部、可動部を有し、スライド部はケース本体にスライド可能に保持され、スライド部をスライドさせると可動部がケース本体から離れる方向に移動するものであり、さらに、可動部はプレート面に位置していることを特徴とする彫刻刀ケースである。
【００１８】
請求項６に記載の発明によれば、彫刻刀を出し入れ可能に収納できるプレート面と側面を有するプレート状の彫刻刀ケースにおいて、ケース本体、スライド部、可動部を有し、スライド部はケース本体にスライド可能に保持され、スライド部をスライドさせると可動部がケース本体から離れる方向に移動するものであり、さらに、可動部はプレート面に位置しているので、可動部を移動することによって彫刻刀の出し入れが容易となる。
【００１９】
請求項７に記載の発明は、彫刻刀を出し入れ可能に収納できる彫刻刀ケースにおいて、ケース本体、スライド部、可動部を有し、スライド部は彫刻刀ケースの蓋又はその一部を構成してケース本体にスライド可能に保持され、可動部は彫刻刀ケースの底部の一部を構成し、さらに可動部はケース本体に対して揺動可能に取り付けられ、スライド部と可動部の間に係合手段が設けられ、蓋をあけるべくスライド部を移動させると、係合手段によって可動部がケース本体から離れる方向に移動することを特徴とする彫刻刀ケースである。
【００２０】
請求項７に記載の発明によれば、スライド部は彫刻刀ケースの蓋又はその一部を構成してケース本体にスライド可能となっており、スライド部をスライドさせることにより、蓋を開けながら可動部をケース本体から離れる方向に移動させることができるので、容易に彫刻刀を取り出すことができる。
【００２１】
請求項８に記載の発明は、彫刻刀ケースはプレート面と側面を有するプレート状であり、ケース本体の側面には溝又は突起であるガイド部が設けられ、スライド部はガイド部に係合可能な突起又は溝である係合部が設けられ、ガイド部及び係合部の、一方又は双方の形状がプレート面に略平行な筋状であり、スライド部の側面と可動部の側面には係合手段が設けられ、前記係合手段は、誘導突起と誘導突起に係合可能な誘導溝からなり、誘導溝にはプレート面に対して角度を有する傾斜部が設けられるものであり、ケース本体と可動部は、側面に有する可動部軸によって回転可能に保持されることを特徴とする請求項１〜７のいずれかに記載の彫刻刀ケース。
【００２２】
請求項８に記載の発明によれば、ケース本体の側面にはガイド部が設けられ、スライド部には係合部が設けられており、スライド部のスライドが容易に行うことができる。また、スライド部の側面と可動部の側面には係合手段が設けられており、容易に可動部の移動が可能となる
【００２３】
請求項９に記載の発明は、スライド部のスライドによって移動する可動部の移動方向は、略平行移動であることを特徴とする請求項１〜８のいずれかに記載の彫刻刀ケースである。
ここで本願においては、略平行移動には平行移動だけでなく、回転移動であっても、回転角が小さく、移動の前後における傾きの角度が小さい場合も含まれる。
【００２４】
請求項９に記載の発明によれば、スライド部のスライドによって移動する可動部の移動方向は略平行移動であるので、移動の幅が小さくできるので、移動後の状態が嵩張りが小さい。
【００２５】
【発明の実施の形態】
以下さらに本発明の具体的実施例について説明する。図１は、本発明の第１の実施形態における彫刻刀ケースの斜視図である。図２は、本発明の第１の実施形態における彫刻刀ケースの分解した状態での斜視図である。図３は、本発明の第１の実施形態における彫刻刀ケースの本体ケースの合わせ目付近を拡大した斜視図である。図４は、本発明の第１の実施形態における彫刻刀ケースの側面から見た、ケース本体、可動部及びスライド部を示した模式図である。図５は、本発明の第１の実施形態における彫刻刀ケースに使用される彫刻刀の正面図である。図６は、本発明の第１の実施形態における彫刻刀ケースに彫刻刀を収納した状態で一部を切り欠いた斜視図である。
【００２６】
本発明の第１の実施形態における彫刻刀ケース１は、図１に示される様に長方形のプレート状のケースであり、内部に彫刻刀を収納することができる。また、彫刻刀ケース１は、ケース本体１０、スライド部１１、可動部１２を有している。
なお、本願においては、図１における位置を基準として、左奥側と右手前側の方向を奥、手前方向とし、右奥と左手前側を左右方向とし、上側と下側を上下方向として説明する。また、彫刻刀ケース１は、左右対称であり、左右に有する部材については、特に記載する場合を除いて片側についてのみ説明する。
【００２７】
本発明の実施形態おける彫刻刀ケース１に収納される彫刻刀９０は、図５に示される様なものであり、刃９１と柄９２を有し、柄９２には凹部９３を有している。そして、凹部９３と、後述する彫刻刀固定突起４８が係合することにより、彫刻刀ケース１に彫刻刀９０を固定することができる。
なお、彫刻刀ケース１は、彫刻刀９０を５本収納することができる。通常、刃９１の先の形状が異なるものを収納するが、刃９１の先以外は同じであり、図示は省略する。
【００２８】
そして、ケース本体１０は、上部ケース１５と下部ケース１６からなる。
さらに、具体的に説明すると、下部ケース１６は、図２（ｃ）に示されるように、開口を有する略板状であり、底板部２０と側板部２１を有している。
底板部２０は長方形の板状であり、底板部２０の上側には彫刻刀仕切２２と彫刻刀保持部２３が設けられている。彫刻刀仕切２２は、底板部２０の長方形の長辺に平行となるように設けられ、複数の彫刻刀を別々に仕切るものである。また、彫刻刀保持部２３は、底板部２０の長方形の長辺に平行となるように設けられており、各彫刻刀の外形に合わせた切欠部２５に彫刻刀９０の刃９１を置き、がたつきを防止することができる。
底板部２０の大きさは、後述する側板部２１の枠よりも小さく、側板部２１の内側には、下部開口３０を有している。
【００２９】
側板部２１は、底板部２０の周りに設けられた長方形の枠状の部材である。そして、側板部２１の長辺側の略中央に２カ所の可動部軸受穴２７が設けられている。
さらに、底板部２０の奥側の一部は幅が短く、左右の側板部２１との結合部付近にはスリット２４が設けられている。
【００３０】
上部ケース１５は、図２（ｂ）に示されるように、上板部１５ａの周りに側板部１５ｂを有する略長方形の部材である。そして、上部ケース１５は、３つの部位に分かれる。すなわち、上部ケース１５の手前側は、手前部１９であり、中央付近は中央部１８である。そして上部ケース１５の奥側は、切欠１７ａを有している奥部１７となっている。
手前部１９は、中央部１８よりも厚み・幅がやや大きく、後述するスライド部１１と略同一の幅である。また、奥部１７は、長辺方向の側板のみで構成されており、上板及び奥側の側板は無い。
また、中央部１８付近の側板部１５ｂには、下部ケース１６の可動部軸受穴２７に対応する位置に可動部軸受穴２８が設けられている。
【００３１】
そして、下部ケース１６と上部ケース１５とを合わせて、ケース本体１０となる。本実施例では、下部ケース１６の側板部２１の上側と上部ケース１５の側板部１５ｂの下側に有している嵌合部（図示せず）によって結合する。
こうして、結合した状態では、図３のような状態となる。
【００３２】
図３に示されるように、ケース本体１０には、下部ケース１６と上部ケース１５の合わせ目にガイド溝６０を有している。
ガイド溝６０は、ケース本体１０の奥側の端部から全体の長さの約２／３程度の長さを有しており、筋状であり、ケース本体１０のプレート面となる上板部１５ａに平行に向いている。さらに、ガイド溝６０の手前側の部分は、上部ケース１５の側板部１５ｂよりも内側に位置している板部６１を有している。そして、ガイド溝６０の奥側部分は、内部と外部が連通する貫通部６２となっている。また、板部６１の両端には突起部６３を有し、後述するスライド部１１のスライド用突起４０と接触することができる。
ガイド溝６０は、後述するように、スライド部１１のスライド用突起４０及び誘導突起４２のガイド部となる。
【００３３】
また、図３のように、下部ケース１６の可動部軸受穴２７と上部ケース１５の可動部軸受穴２８によって可動部軸６５となる。可動部軸６５は、板部６１の略中央付近に位置し、また、彫刻刀ケース１の全体から見ると中央よりやや手前側に位置している。
【００３４】
次に、スライド部１１について説明する。
スライド部１１は、図２（ａ）に示されるように、長方形の板部３８に対向する辺に側板３９が接続した形状である部材であり、言い換えると、断面が略「コ」字状である板状である。そして、スライド部１１の左右方向の幅は上部ケース１５の手前部１９付近の幅と等しい。また、スライド部１１の側板３９の内側同士の幅は上部ケース１５の中央部１８付近の幅に等しい。
【００３５】
スライド部１１の板部３８には、窓部３３が有している。そして、窓部には透明な樹脂が取り付けられ、内側を見ることが可能である。そして、側板の内側には、内側に向いている突起たるスライド用突起４０及び誘導突起４２が設けられており、これらの突起は前記したガイド溝６０に係合されて本発明の係合部となる。また、誘導突起４２の長さは、スライド用突起４０よりも長く、誘導突起４２の先端は、ガイド溝６０の貫通部６２を通過して、後述する可動部１２の誘導溝４６に係合することができる。
【００３６】
可動部１２は、図２（ｄ）に示されるように、長方形の可動板部４５に対向する辺に側板部４３が接続した形状である部材であって、側板部４３の一方が手前側に伸びている形状である。そして、側板部４３の手前側の下側には切欠部５２が設けられている。
【００３７】
さらに、側板部４３には、誘導溝４６と可動部軸突起４７が設けられている。誘導溝４６は、側板部４３の奥側に位置し、前記したスライド部１１の誘導突起４２とほぼ同じ大きさの幅の溝である。誘導溝４６は、水平溝部５１と傾斜溝部５０を有し、水平溝部５１は可動板部４５と平行であり、傾斜溝部５０は手前側が上となるようにやや傾斜し、傾斜溝部５０長さは水平溝部５１よりも短い。そして、傾斜溝部５０の手前側は、側板部４３の上側に至っている。また、水平溝部５１奥側の端部５１ａは、側板部４３の奥側まで至っておらず、行き止まりとなっている。
可動部軸突起４７は、側板部４３の手前側に位置し、外側に突出した突起である。
【００３８】
可動板部４５は、下部ケース１６の下部開口３０よりもやや長さの短い板状である。そして、可動板部４５の上側には、彫刻刀保持部４９を有し彫刻刀９０を載せることができる。また、彫刻刀保持部４９には、彫刻刀固定突起４８が設けられている。彫刻刀固定突起４８は、上向きの突起であり、彫刻刀９０の凹部９３の形状に合わせた形状であり、彫刻刀固定部となるものである。
【００３９】
そして、彫刻刀ケース１は以下のように組み立てられる。
まず、スライド部１１を上部ケース１５に取付ける。具体的には、スライド部１１及び上部ケース１５を裏表を反対の状態（図２の状態とは上下反対）としてスライド部１１を奥側から手前側に移動させて挿入する。このとき、スライド部１１の板部３８と、誘導突起４２及びスライド用突起４０との間に、上部ケース１５の側板部１５ｂが位置するように挿入する。
【００４０】
次に、スライド部１１を上部ケース１５に取付けた状態で、可動部１２を裏表を反対の状態（図２の状態とは上下反対）で、溝４６にスライド部１１の突起４２に沿わせながら挿入し、可動部１２の突起４７を上部ケース１５の可動部軸受穴２８に合わせる。
【００４１】
さらに、上記のように取り付けた、スライド部１１、上部ケース１５及び可動部１２に、下部ケース１６を裏表を反対の状態で合わせる。このとき下部ケース１６は、上部ケース１５に合わせられて固定される。そして、可動部１２の可動部軸突起４７は、上部ケース１５と下部ケース１６に挟まれて可動部軸６５となり、ケース本体１０に回転可能に保持される。また、誘導突起４２は、可動部１２の誘導溝４６に係合される。
そして、この固定の際には、接着剤などを用いることにより、より強固に固定することができる。そして、彫刻刀ケース１の表裏を元に戻す。
【００４２】
本発明の第１の実施形態の彫刻刀ケース１は、上記のように組み立てが可能であり、組み立てが容易にできる。
【００４３】
また、本発明の第１の実施形態では、下部ケース１６のスリット２４に側板部４３が入り込むことが可能であり、さらに、可動部１２には切欠部５２を有しているので、可動部１２の側板部４３は下部ケース１６の板部２０よりも下側に移動可能である。この移動は、可動部軸６５を軸とする回転移動であるが、回転の角度は小さい回転移動であり、略平行移動である。
【００４４】
上記のように組み立てると、彫刻刀ケース１は図１の状態となる。そして、上部ケース１５の切欠１７ａは、スライド部１１によって、ほぼ覆うことができ、また、下部ケース１６の下部開口３０は、可動部１２によって、ほぼ覆うことができる。
また、スライド部１１の位置は、プレート面である。そして、スライド部１１はスライド可能であり、スライド部１１を手前側に移動させると、上部ケース１５の切欠１７ａ付近には、図４（ｅ）のように、彫刻刀ケース１に開口７０ができる。したがって、スライド部１１を手前側に移動させて、上部ケース１５の切欠１７ａ付近から彫刻刀９０の出し入れを容易に行うことができる。したがって、スライド部１１はスライドによって彫刻刀ケース１の開け閉めできるものであり、彫刻刀ケース１の蓋となる。
そして、可動部１２は、スライド部１１の誘導突起４２が可動部１２の誘導溝４６に係合し、また、可動部軸６５に可動部軸突起４７が保持されている。可動部１２の位置は、彫刻刀ケース１のプレート面であり、底部である。
【００４５】
彫刻刀ケース１の動きについて図４を用いて説明する。図４は、ケース本体１０、スライド部１１及び可動部１２の側面部のみを重ね合わせて示した模式図であり、実際には影となっている部分も実線で図示している。また、図４においては、左側が奥側であり、右側が手前側である。
【００４６】
図４（ａ）は、スライド部１１が一番奥となっている状態である。この図を用いて、ケース本体１０、スライド部１１及び可動部１２の結合状態を説明する。まず、ケース本体１０のガイド溝６０に、スライド部１１のスライド用突起４０及び誘導突起４２が係合している。したがって、スライド部１１はケース本体１０に対して、手前・奥方向に移動可能であり、左右方向や上下方向には移動できない。また、可動部１２は、可動部軸６５によって保持されているので、ケース本体１０に対して、可動部軸６５を中心に回転できるが、他の移動はできない。そして、スライド部１１の誘導突起４２は、可動部１２の誘導溝４６に係合されている。したがって、スライド部１１は可動部１２に対して、誘導突起４２が誘導溝４６に沿うようにして移動する。
上記のように結合しているので、全ての部材は相対的に左右方向には移動できない。また、ケース本体１０に対しては、可動部１２だけが上下方向に移動可能である。
【００４７】
そして、図４（ａ）の状態から、スライド部１１を手前方向に移動させる。そうすると、図４（ｂ）に示されるようにスライド部１１がやや手前となった状態となる。この移動の際には、スライド部１１は、ケース本体１０との関係では、手前に平行移動する。そして、スライド部１１の誘導突起４２は、可動部１２の誘導溝４６の水平溝部５１を通るので、スライド部１１と可動部１２の上下関係の位置はそのままである。そして、さらにスライド部１１をスライドさせて、図４（ｃ）の状態となる。
【００４８】
図４（ｃ）の状態では、スライド部１１の誘導突起４２は、可動部１２の誘導溝４６の水平溝部５１と傾斜溝部５０との交点に位置している。したがって、スライド部１１が、図４（ｃ）の状態よりも奥側であれば、誘導突起４２は水平溝部５１に位置するため、可動部１２は移動しないが、図４（ｃ）の状態よりも手前側であれば、誘導突起４２は傾斜溝部５０に位置するため、可動部１２はケース本体１０に対して移動する。
【００４９】
すなわち、図４（ｃ）の状態よりもスライド部１１を手前側に移動させると、誘導突起４２は傾斜溝部５０に位置する。傾斜溝部５０は手前側が上となるようにやや傾斜し、水平溝部５１よりも上側である。そのため、スライド部１１と可動部１２の位置関係は、相対的にスライド部１１が上に、可動部１２が下となるように移動する。
そして、上述したように、スライド部１１とケース本体１０の位置関係は水平移動しかできず、上下の位置はそのままである。したがって、可動部１２は、ケース本体１０に対して、スライド部１１の誘導突起４２付近では下方向に移動する。一方で、可動部１２とケース本体１０は、可動部軸６５によって、回転可能に保持されているので、図４（ｄ）の状態のように、可動部１２は奥側がやや傾斜した状態で下向きに移動する。言い換えると、可動部１２は下側に位置しているので、ケース本体１０から離れる方向に向かって移動する。
この移動は回転であるが、角度が小さく、略平行移動となる。
【００５０】
さらにスライド部１１をスライドさせると、可動部１２はさらに傾斜して下向きに移動し、言い換えるとケース本体１０から離れる方向に向かって移動して、図４（ｅ）の状態となる。
【００５１】
彫刻刀ケース１を用いて、彫刻刀９０を彫刻刀ケース１に収納し、また、出し入れする場合について説明する。
彫刻刀９０を彫刻刀ケース１に収納すると、図６の状態になる。すなわち、彫刻刀９０は、刃９１が手前側であり、彫刻刀仕切２２同士の間に位置している。また、可動部１２の彫刻刀固定突起４８を彫刻刀９０の凹部９３に係合して固定されている。彫刻刀９０が彫刻刀固定突起４８によって固定されると、彫刻刀固定突起４８が彫刻刀９０の凹部９３の形状に合わせた形状であるので、がたつき無く固定できる。
【００５２】
彫刻刀９０を彫刻刀ケース１に入れる場合には、スライド部１１を手前側に移動させて、図４（ｅ）の状態で行う。この状態では、彫刻刀ケース１には、上部ケース１５の切欠１７ａ付近に開口ができ、また、可動部１２は下に移動して彫刻刀固定突起４８も下に移動している。したがって、容易に彫刻刀９０を彫刻刀ケース１に入れることができる。そして、彫刻刀９０を刃９１側から入れ、さらに彫刻刀９０の凹部９３を下側にして彫刻刀固定突起４８付近となるように彫刻刀ケース１に入れる。
そして、スライド部１１を奥側にスライドさせる。そうすると前記した開口が閉じて、可動部１２が上昇して、彫刻刀固定突起４８は彫刻刀９０の凹部９３に係合して、彫刻刀９０は固定される。
【００５３】
また、彫刻刀９０を彫刻刀ケース１から出す際には、入れる場合と逆の操作で行う。
さらに、スライド部１１が手前側で、可動部１２が下に移動している図４（ｅ）の状態では、可動部１２下にして彫刻刀ケース１を置いた場合、ケース本体１０は、可動部１２が下に飛び出した状態となる。したがって、彫刻刀９０は彫刻刀ケース１に入った状態では傾けて置くことができるので、彫刻刀９０を取り出しやすい。
【００５４】
本発明の第１の実施形態における彫刻刀ケース１のスライド部１１は、彫刻刀ケース１が組み立てられた状態では、単独では外れることはない。すなわち、スライド部１１は、図４（ａ）の状態よりも奥側には、スライド部１１の誘導突起４２が可動部１２の水平溝部５１の奥側の端部５１ａで止まり、また、図４（ｅ）の状態よりも手前側には、スライド部１１が手前部１９に接触して移動しないので、スライド部１１は彫刻刀ケース１から外れることはない。
また、一番奥側の状態（図４（ａ））や一番手前側の状態（図４（ｅ））で仮固定することができる。すなわち、図３に示されるように、ガイド溝６０には突起部６３を有しており、図４（ａ）の状態では、スライド用突起４０が突起部６３の手前側に位置しているので、スライド部１１を手前側に移動する場合にはスライド用突起４０が突起部６３を乗り越えることが必要であり、また、図４（ｅ）の状態では、スライド用突起４０が突起部６３の奥側に位置しているので、スライド部１１を奥側に移動する場合にはスライド用突起４０が突起部６３を乗り越えることが必要である。突起部６３を乗り越える際には、スライド用突起４０又は突起部６３がやや変形することが必要であり、スライドの際に余分な力が必要となるのでスライド部１１の仮固定となる。
【００５５】
また、本発明の第１の実施形態における彫刻刀ケース１の奥側の側面には、下部ケース１６の奥側側板２１ａを有しているが、奥側側板２１ａがなく、彫刻刀ケース１の奥側の側面が開口状態であっても構わない。かかる場合においても、彫刻刀固定突起４８は彫刻刀９０の凹部９３に係合しており、彫刻刀９０は固定されて、彫刻刀９０が外に飛び出すことはない。
さらに、本発明の第１の実施形態における彫刻刀ケース１では、彫刻刀固定突起４８を有するものであったが、彫刻刀固定突起４８が無い構成でもかまわない。この場合には、彫刻刀９０は  側板部２１及び彫刻刀仕切２２により保持し、また、取り出しの際には可動部１２側から可能である。
【００５６】
本発明の第１の実施形態における彫刻刀ケース１の可動部１２の可動部軸６５は、彫刻刀ケース１全体から見て中央よりやや手前側に位置しているが、この位置に限られず、本発明の第１の実施形態よりも奥側として、回転半径を小さくして、回転角度を大きくしても良く、また、手前側として、回転半径を大きくし、回転角度を小さくして、可動部１２の移動をより平行移動に近づけることも可能である。
【００５７】
【発明の効果】
本発明は、上述の通り構成されているので、彫刻刀の出し入れの操作が容易であり、特に、彫刻刀を持ち運ぶ際の音が発生しにくい彫刻刀ケースを提供することができる。
【図面の簡単な説明】
【図１】本発明の第１の実施形態における彫刻刀ケースの斜視図である。
【図２】本発明の第１の実施形態における彫刻刀ケースの分解した状態での斜視図である。
【図３】本発明の第１の実施形態における彫刻刀ケースの本体ケースの合わせ目付近のを拡大した斜視図である。
【図４】本発明の第１の実施形態における彫刻刀ケースの側面から見た、ケース本体、可動部及びスライド部を示した模式図である。
【図５】本発明の第１の実施形態における彫刻刀ケースに使用される彫刻刀の正面図である。
【図６】本発明の第１の実施形態における彫刻刀ケースに彫刻刀を収納した状態で一部を切り欠いた斜視図である。
【符号の説明】
１    彫刻刀ケース
１０  ケース本体
１１  スライド部
１２  可動部
４０  スライド用突起
４２  誘導突起
４６  誘導溝
４８  彫刻刀固定突起
５０  傾斜溝部
６０  ガイド溝
６５  可動部軸
９０  彫刻刀
９３  凹部
【図１】
0004004836.tif 000002
【図２】
0004004836.tif 000003
【図３】
0004004836.tif 000004
【図４】
0004004836.tif 000005
【図５】
0004004836.tif 000006
【図６】
0004004836.tif 000007